(57)【要約】【課題】  １個の無線タグから様々なサービスを利用可能として無線タグの使い勝手を高め、利用者を任意のＷｅｂサイトへ誘導可能とする。【解決手段】  サービス決定処理部３５は、プロファイル取込み部３３によって取り込まれる、利用者プロファイルに含まれるサービス情報とタグリーダ関連情報に含まれるサービス情報とを用いて利用者が所持する移動体端末に提供するサービスを決定することで、タグとそのリーダとからサービスプロバイダを選択する共通のプラットフォーム機能を実現する。【選択図】      図２
2005092785.tif 000002
【特許請求の範囲】
【請求項１】
移動体端末と、利用者プロファイル管理サーバと、タグリーダ関連情報管理サーバと、複数のサービス提供サーバとが通信ネットワークを介して接続される提供サービス決定装置であって、
前記移動体端末に付加された無線タグがタグリーダに近づけられることにより、タグＩＤとリーダＩＤを取り込むＩＤ取込み部と、
前記取り込まれた各ＩＤに基づき、それぞれ前記利用者プロファイル管理サーバ、前記タグリーダ関連情報管理サーバをアクセスして得られる利用者プロファイルならびにタグリーダ関連情報を取得するプロファイル取込み部と、
前記利用者プロファイルに含まれるサービス情報と前記タグリーダ関連情報に含まれるサービス情報とを用いて前記移動体端末に提供するサービスを決定するサービス決定処理部と、
を備えることを特徴とする提供サービス決定装置。
【請求項２】
前記決定したサービスに対し、当該サービス提供に必要な情報を選択して転送するサービスデータ選択出力部と、
を備えることを特徴とする請求項１に記載の提供サービス決定装置。
【請求項３】
前記サービスデータ選択出力部は、
前記選択されたサービスが複数存在する場合、あらかじめプログラミングされた任意のルールに従いサービスを選択し、そのサービスを提供するために必要な情報を転送することを特徴とする請求項２に記載の提供サービス決定装置。
【請求項４】
前記サービス決定処理部は、
前記利用者プロファイルに含まれるサービス情報と前記タグリーダ関連情報に含まれるサービス情報との論理演算を行い、提供するサービスを決定することを特徴とする請求項１〜３のいずれか１項に記載の提供サービス決定装置。
【請求項５】
前記サービス決定処理部は、
更に、前記利用者プロファイル、前記タグリーダ関連情報のそれぞれに含まれる時刻、位置情報の少なくとも一つを前記論理演算の対象として提供するサービスを決定することを特徴とする請求項４に記載の提供サービス決定装置。
【請求項６】
移動体端末に付加された無線タグと、タグリーダのそれぞれに付与されたＩＤに基づき提供できるサービスを決定する提供サービス決定方法であって、
前記移動体端末に付加された無線タグがタグリーダに近づけられることにより、タグＩＤとリーダＩＤを取り込む過程と、
前記取り込まれた各ＩＤに基づき、それぞれ、利用者プロファイル管理サーバおよびタグリーダ関連情報管理サーバをアクセスして得られる利用者プロファイルならびにタグリーダ関連情報を取得する過程と、
前記利用者プロファイルに含まれるサービス情報と前記タグリーダ関連情報に含まれるサービス情報とを用いて前記移動体端末に提供するサービスを決定する過程と、
を含むことを特徴とする提供サービス決定方法。
【請求項７】
移動体端末に付加された無線タグと、タグリーダのそれぞれに付与されたＩＤに基づき提供できるサービスを決定する提供サービス決定装置に用いられるプログラムであって、
前記移動体端末に付加された無線タグがタグリーダに近づけられることにより、タグＩＤとリーダＩＤを取り込む処理と、
前記取り込まれた各ＩＤに基づき、それぞれ、前記利用者プロファイル管理サーバおよびタグリーダ関連情報管理サーバをアクセスして得られる利用者プロファイルならびにタグリーダ関連情報を取得する処理と、
前記利用者プロファイルに含まれるサービス情報と前記タグリーダ関連情報に含まれるサービス情報とを用いて前記移動体端末に提供するサービスを決定する処理と、
をコンピュータに実行させるプログラム。
【請求項８】
サービスを提供する１以上のサービス提供サーバと、
移動体端末に付加された無線タグをタグリーダに近づけることによって検出されるタグＩＤならびにリーダＩＤに基づき、利用者プロファイル、タグリーダ関連情報のそれぞれを出力する利用者プロファイル管理サーバ、およびタグリーダ関連情報管理サーバと、
前記利用者プロファイルと前記タグリーダ関連情報を受信して前記移動体端末に提供するサービスを決定し、当該決定したサービスに必要な情報を前記サービス提供サーバの一つに出力する提供サービス決定装置と、
がそれぞれ通信ネットワークを介して接続される提供サービス決定システム。
【発明の詳細な説明】
【技術分野】
【０００１】
本発明は、移動体端末に付加された無線タグと、タグリーダのそれぞれに付与されたＩＤに基づき提供できるサービスを決定する、提供サービス決定装置および方法ならびにそのプログラム、提供サービス決定システムに関する。
【背景技術】
【０００２】
無線タグは、製造、物流、流通を中心にあるゆる分野で利用実績があり、そのための社会インフラも整備されつつある。しかしながら、通常、１個の無線タグは１個のサービス専用にしか使用できず、従って、サービス毎に新しい無線タグを配布する必要があり、利用者にとっては非常に使勝手が悪いものであった。
ところで、無線タグとは、ある程度はなれた位置からも情報の読み出しができるＲＦ−ＩＤ（Radio Frequency-ID）、所謂電子タグであり、微小なアンテナが統合されたＩＣチップを有するタグであって、このＩＣチップにユニークな情報が格納される。このＩＣチップは、アンテナを介して電波が受信されると自身の電源電圧を形成して動作し、格納されている情報をアンテナ経由で送信する。これにより、タグリーダは無線タグから１ｍ程度離れた位置においてこの無線タグに電波を送信するだけで情報を読み取ることができる。
【０００３】
ところで、上記した無線タグの活用事例として、場所に関係なく所望の商品に関する情報を取得可能なタグ管理サーバと、これを用いた情報の取得活用システムが提案されている（例えば特許文献１参照）。
特許文献１に開示された技術によれば、無線タグから読み取られたタグ情報を用いた問合せに対し、タグ情報に該当するタグ管理情報を取得するタグ管理サーバであって、各ＩＤに該当するタグ情報に基づくデータベースを備え、問合せが、管理するＩＤタグに該当するタグ情報に基づく正規のものであるか否かを判定し、正規の問合せがあったタグ情報に該当するタグ管理情報を問合せ元に提供するものである。
【特許文献１】特開２００３−１５７４７７号公報
【発明の開示】
【発明が解決しようとする課題】
【０００４】
上記した特許文献１に開示された技術によれば、無線タグから読み出した情報をタグ管理サーバに送付してタグ管理サーバに判断を仰いでいるが、その判断は無線タグの正当性の確認に留まっており、従って、場所に関係なく所望の商品に関する情報を取得することはできても、サービス毎にそれぞれ必要としていた無線タグを不要とするものではなく、また、利用者を任意のＷｅｂサイトへ誘導して無線タグの使い勝手を高めるものではない。
本発明は上記事情に鑑みてなされたものであり、無線タグとタグリーダからサービスを提供するコンテンツプロバイダを選択可能な共通のプラットフォーム機能を提供し、１個の無線タグから様々なサービスを利用可能として無線タグの使い勝手を高め、また、利用者を任意のＷｅｂサイトへ誘導可能な、提供サービス決定装置および方法ならびにそのプログラムを提供することを目的とする。
【課題を解決するための手段】
【０００５】
上記した課題を解決するために本発明は、移動体端末と、利用者プロファイル管理サーバと、タグリーダ関連情報管理サーバと、複数のサービス提供サーバとが通信ネットワークを介して接続される提供サービス決定装置であって、前記移動体端末に付加された無線タグがタグリーダに近づけられることにより、前記タグリーダから出力されるタグＩＤとリーダＩＤを取り込むＩＤ取込み部と、前記取り込まれた各ＩＤに基づき、それぞれ、前記利用者プロファイル管理サーバ、タグリーダ関連情報管理サーバをアクセスして得られる利用者プロファイルならびにタグリーダ関連情報を取得するプロファイル取込み部と、前記利用者プロファイルに含まれるサービス情報と前記タグリーダ関連情報に含まれるサービス情報とを用いて前記移動体端末に提供するサービスを決定するサービス決定処理部と、を備えることを特徴とする。
【０００６】
本発明によれば、サービス決定処理部が、プロファイル取込み部によって取り込まれる、利用者プロファイルに含まれるサービス情報とタグリーダ関連情報に含まれるサービス情報とを用いて、利用者が所持する移動体端末に提供するサービスを決定することで、タグとそのリーダとからコンテンツプロバイダを選択する共通のプラットフォーム機能を実現でき、従って、１個のタグから様々なサービスを利用可能となり（サービス毎に配布されていたタグが不要）、また、１台のタグリーダから様々なサービスが提供可能となって、利用者を任意のＷｅｂサイトへ誘導できる。
【０００７】
また、本発明において、前記決定したサービスに対し、当該サービス提供に必要な情報を選択して転送するサービスデータ選択出力部と、を備えることを特徴とする。
【０００８】
また、本発明において、前記サービスデータ選択出力部は、前記選択されたサービスが複数存在する場合、（１）当該選択された全てのサービス、（２）ランダムに選択された任意個数のサービス、（３）あらかじめ設定された優先順位に従う任意個数のサービスの少なくとも一つを提供するために必要な情報を転送することを特徴とする。
【０００９】
また、本発明において、前記サービス決定処理部は、前記利用者プロファイルに含まれるサービス情報と前記タグリーダ関連情報に含まれるサービス情報との論理演算を行い、提供するサービスを決定することを特徴とする。
【００１０】
また、本発明において、前記サービス決定処理部は、更に、前記利用者プロファイル、前記タグリーダ関連情報のそれぞれに含まれる時刻、位置情報の少なくとも一つを前記論理演算の対象として提供するサービスを決定することを特徴とする。
【００１１】
上記した課題を解決するために本発明は、移動体端末に付加された無線タグと、タグリーダのそれぞれに付与されたＩＤに基づき提供できるサービスを決定する提供サービス決定方法であって、前記移動体端末に付加された無線タグがタグリーダに近づけられることにより、前記タグリーダから出力されるタグＩＤとリーダＩＤを取り込む過程と、前記取り込まれた各ＩＤに基づき、それぞれ、利用者プロファイル管理サーバ、タグリーダ関連情報管理サーバをアクセスして得られる利用者プロファイルならびにタグリーダ関連情報を取得する過程と、前記利用者プロファイルに含まれるサービス情報と前記タグリーダ関連情報に含まれるサービス情報とを用いて前記移動体端末に提供するサービスを決定する過程と、を含むことを特徴とする。
【００１２】
上記した課題を解決するために本発明は、移動体端末に付加された無線タグと、タグリーダのそれぞれに付与されたＩＤに基づき提供できるサービスを決定する提供サービス決定装置に用いられるプログラムであって、前記移動体端末に付加された無線タグがタグリーダに近づけられることにより、前記タグリーダから出力されるタグＩＤとリーダＩＤを取り込む処理と、前記取り込まれた各ＩＤに基づき、それぞれ前記利用者プロファイル管理サーバ、前記タグリーダ関連情報管理サーバをアクセスして得られる利用者プロファイルならびにタグリーダ関連情報を取得する処理と、前記利用者プロファイルに含まれるサービス情報と前記タグリーダ関連情報に含まれるサービス情報とを用いて前記移動体端末に提供するサービスを決定する処理と、をコンピュータに実行させることを特徴とする。
【００１３】
上記した課題を解決するために本発明の提供サービス決定システムは、コンテンツを提供する１以上のサービス提供サーバと、移動体端末に付加された無線タグをタグリーダに近づけることによって検出されるタグＩＤならびにリーダＩＤに基づき、利用者プロファイル、タグリーダ関連情報のそれぞれを出力する利用者プロファイル管理サーバ、およびタグリーダ関連情報管理サーバと、前記利用者プロファイルと前記タグリーダ関連情報を受信して前記移動体端末に提供するサービスを決定し、当該決定したサービスに必要な情報を前記サービス提供サーバの一つに出力する提供サービス決定装置と、がそれぞれ通信ネットワークを介して接続されることを特徴とする。
【発明の効果】
【００１４】
本発明によれば、無線タグとタグリーダとからコンテンツプロバイダを選択するための共通のプラットフォーム機能を提供できることから、利用者は、１個の無線タグから様々なサービスが利用可能となり、また、コンテンツプロバイダは、１台のタグリーダを用いて様々なサービスの提供が可能となる。
更に、ユーザ専用のポータルサイトを介して任意のＷｅｂサイトへ誘導することができ、使い勝手の向上がはかれる。なお、上記した共通のプラットフォームは、例えば、デパートの販促メール、電子チケット、電子エントリ、ポイントサービス、電子ポスター等、無線タグを使ったあらゆるサービスへの利用が考えられる。
【発明を実施するための最良の形態】
【００１５】
実施形態の説明に先立ち、本発明によって提供される無線タグを用いた共通サービスプラットフォーム機能の概要について、活用シーンを念頭において簡単に説明する。ここでは、学校、家、コンビニ、デパートでの活用シーンを考える。
例えば、学校では児童に無線タグ内蔵のバッチを持たせ、また、机や壁にタグリーダを埋め込み設置する。教師は出欠確認を行いその内容を個人ポータルに反映させることにより、親は子供の登校を確認することができる。また、家では、タグリーダが玄関錠と連動しており、子供に無線タグ内蔵鍵を所持させることで、親は外出先から子供の帰宅を確認することができる。
更に、コンビニやデパートでは、無線タグが貼付されタグリーダを内蔵した携帯電話にその無線タグをかざすだけで個人専用のポータルサイトへアクセスでき、任意のＷｅｂサイトへジャンプすることでチケットの手配、支払い、あるいはデパートの売り場選り場確等の検索が可能となる。
【００１６】
このように、１個の無線タグから様々なサービスの利用を可能とし、１台のタグリーダを介して様々なサービスの提供を可能とするものである。前者によれば、利用者はサービス毎に無線タグを持つ必要がなくなり、また、後者によれば、コンテンツプロバイダが共通に利用できるタグリーダの提供が可能となり、ユーザ専用のポータルサイトを介して利用者を任意のＷｅｂサイトへ誘導できる。
【００１７】
図１は、本発明における提供サービス決定システムの接続構成の一例を示す図である。図１において、１は無線タグ、２はタグリーダである。無線タグ１は、受信した電波を電力に変換してＩＤを送信するＩＣチップであり、ここでは、ブラウザ内蔵の携帯電話等、移動体端末１０のストラップに貼付されているものとする。また、タグリーダ２は、無線タグ１から無線でＩＤを読み取る受信装置であり、ここでは、学校、家、コンビニ、デパート等サービスを提供あるいは享受できる任意の場所に設置されているものとする。なお、携帯電話は無線タグ１としてのみならず、タグリーダ２の機能も併せ持つことができる。
【００１８】
３は本発明の提供サービス決定装置である。提供サービス決定装置３は、無線タグ１を用いた共通サービスプラットフォームを提供する。具体的には、無線タグ１がタグリーダ２に近づけられることにより検出されるタグＩＤとリーダＩＤとに基づき、利用者プロファイル管理サーバ４とタグリーダ関連情報サーバ５からそれぞれ利用者プロファイルとタグリーダ関連情報を受信し、これら情報から利用者に提供するサービスを決定し、当該決定したサービスに必要な情報をサービス提供サーバ７の一つに出力する。
４は利用者プロファイル管理サーバ（ＵＰＳ）、５はタグリーダ関連情報管理サーバ（ＲＰＳ）、６はアドレス検索サーバ（ＴＮＳ：Tag Name Server）、７はサービス提供サーバ（ＣＰＳ）であり、ともにＩＰ（Internet Protocol）網８を介して提供サービス決定装置３に接続される。
なお、ここで、アドレス検索サーバ６は、タグＩＤ、タグリーダＩＤからアドレス（ドメイン名、ＦＱＤＮ：Fully Qualified Domain Name、ＩＰアドレス等）を検索するサーバである。
【００１９】
利用者プロファイル管理サーバ４、タグリーダ関連情報管理サーバ５は、利用者端末としての携帯電話のストラップに貼付された無線タグ１をタグリーダ２に近づけることによって検出されるタグＩＤならびにリーダＩＤに基づき、提供サービス決定装置３に対して利用者プロファイル、タグリーダ関連情報のそれぞれを出力する。また、アドレス検索サーバ６は、提供サービス決定装置３から発行されるホスト名検索要求に対し、利用者プロファイル管理サーバ４、タグリーダ関連情報管理サーバ５、サービス提供サーバ７のアドレス（ドメイン名、ＦＱＤＮ、ＩＰアドレス等）を送信する。また、サービス提供サーバ７は、サービスプロバイダが提供する各種コンテンツを配信するサーバであり、提供サービス決定装置３の管理の下、利用者に対して以下に述べる各種シーンで各種サービスを提供する。
【００２０】
図２は、本発明の提供サービス決定装置の内部構成を機能展開して示したブロック図である。
本発明の提供サービス決定装置は、ＩＤ取込み部３１と、アドレス検索（要求／回答）送受信部３２と、プロファイル取込み部３３と、リーダＩＤ認識部３４と、サービス決定処理部３５と、サービスデータ選択部３６と、サービスデータ出力部３７で構成される。
【００２１】
ＩＤ取込み部３１は、移動体端末１０に付加された無線タグ１がタグリーダ２に近づけられることにより、タグＩＤとリーダＩＤを取り込み、アドレス検索送受信部３２へ供給する。なお、リーダＩＤ認識部３４は、内蔵されるタグリーダとリーダＩＤを関係付けた表により、タグリーダとリーダＩＤの関係を認識することができる。また、アドレス検索（要求／回答）送受信部３２は、取り込まれたタグＩＤとリーダＩＤに基づきアドレス検索サーバ５から利用者プロファイル管理サーバ４とタグリーダ情報関連管理サーバ５のアドレス（ドメイン名、ＦＱＤＮ、ＩＰアドレス）を入手してプロファイル取込み部３３へ通知する。
プロファイル取込み部３３は、通知されたアドレスに基づき、それぞれ、利用者プロファイル管理サーバ４、タグリーダ関連情報管理サーバ５をアクセスして得られる利用者プロファイルならびにタグリーダ関連情報をサービス決定処理部３５ならびにサービスデータ選択部３６へ供給する。
【００２２】
一方、サービス決定処理部３５は、利用者プロファイルに含まれるサービス情報とタグリーダ関連情報に含まれるサービス情報とを、例えば論理積演算を行い、移動体端末１０に提供するサービスを決定し、その情報をサービスデータ選択部３６へ供給する。サービス決定処理部３５は、更に、利用者プロファイル、タグリーダ関連情報のそれぞれに含まれる時刻、位置情報の少なくとも一つを論理積演算の対象として提供するサービスを決定することも可能である。
サービスデータ選択部３６は、サービス決定処理部３５で決定されたサービスに対し、当該サービス提供に必要な情報を選択し、アドレス検索（要求／回答）送受信部３２を介して得られるサービス提供サーバ７にサービスデータ出力部３７を経由して転送する。
なお、サービスデータ選択部３６は、選択されたサービスが複数存在する場合、あらかじめプログラミングにより定義された任意のルールに従って提供サービスを選択する。例えば、選択された全てのサービス、ランダムに選択された任意個数のサービス、あらかじめ設定された優先順位に従う任意個数のサービスのように定義されており、選択されたサービスを提供するために必要な情報を転送する。勿論上記した３通りに限定されることなく任意であり、また、利用者等選択させるためのインターフェースについても提供が可能である。
【００２３】
図３、図４は、本発明における提供サービス決定システムの動作を説明するために引用したシーケンス図であり、移動体端末１０としての携帯電話に取り付けられた無線タグ１をタグリーダ２にかざした場合（図３）、携帯電話に装備されたタグリーダ２を無線タグ１にかざした場合（図４）のそれぞれにおける動作シーケンスが示されている。
図３、図４ともに、無線タグ１、タグリーダ２、提供サービス決定装置３、アドレス検索サーバ６（ＴＮＳ）、利用者プロファイル管理サーバ４（ＵＰＳ）、タグリーダ関連情報管理サーバ５（ＲＰＳ）、サービス提供サーバ７（ＳＰ＃Ａ〜ＳＰ＃ｎ）間の動作シーケンスが示されている。
以下、図３、図４を参照しながら図１、図２に示す本発明実施形態の動作について詳細に説明する。
【００２４】
（図３：携帯電話に取り付けられた無線タグ１をタグリーダ２にかざす）
まず、携帯電話のストラップに貼付された無線タグをタグリーダ２にかざす（近づける）ことで、検出されたタグＩＤ、リーダＩＤは、ＩＰ網８経由で提供サービス決定装置３へ送信される（Ｓ３１）。提供サービス決定装置３のＩＤ取込み部３１ではこれらＩＤを取込み、アドレス検索（要求／回答）送受信部３２によりアドレス検索サーバ６に対し、タグ情報を管理する利用者プロファイル管理サーバ４と、タグリーダ関連情報を管理するタグリーダ関連情報管理サーバ５のアドレス検索要求を発行し、その回答（ドメイン名、ＦＱＤＮ、ＩＰアドレス等）を入手する（Ｓ３２、Ｓ３４）。
続いてプロファイル取込み部３３では、入手したそれぞれのアドレス（ドメイン名、ＦＱＤＮ、ＩＰアドレス等）に基づき、利用者プロファイル管理サーバ４、タグリーダ関連情報管理サーバ５をアクセスしてそれぞれのプロファイルインスタンスを取込み（Ｓ３３、Ｓ３５）、それらプロファイルインスタンスをサービス決定処理部３５へ供給する。
【００２５】
ここで、タグ情報１としてのプロファイルインスタンスの要素は、携帯電話のユーザ名、電話番号、電子メールアドレス、無線タグの有効期間、契約しているサービスＩＤのリスト等々である。また、タグリーダ情報としてのプロファイルインスタンスの要素は、タグリーダ２の設置者名、設置場所、提供可能なサービスＩＤのリスト、電子メールアドレス等々である。
サービス決定処理部３５は、これらプロファイルインスタンスのうち、契約しているサービスＩＤのリストと提供可能なＩＤのリストの論理積演算を行い、提供可能なサービス（サービスプロバイダ）を決定する（Ｓ３６）。なお、上記したプロファイルインスタンスの中に、無線タグ１、タグリーダ２のそれぞれに関連して時刻情報、位置情報を含ませることができ、この場合、サービスＩＤのみならず、時刻、あるいは位置、その両方についても論理演算の対象として提供するサービスを決定することも可能である。
【００２６】
そして、サービスデータ選択部３６は、サービスプロバイダが必要としているデータの種類を検索し、該当するデータをタグ情報、タグリーダ情報の中から選択し、サービスデータ出力部３７を介して決定されたサービスプロバイダ宛送信する。
ところで、サービス決定処理部３５によるサービス決定条件としては、上記した論理積演算の他に、順次、ランダム、自由設定、ユーザ設定によるもの等がある。従って、サービスデータ選択出力部３６は、サービスが複数存在する場合、（１）当該選択された全てのサービス、（２）ランダムに選択された任意個数のサービス、（３）あらかじめ設定された優先順位に従う任意個数のサービスの少なくとも一つを提供するために必要な情報を転送する。また、利用者に選択させるためのインタフェスも提供が可能である。
なお、サービス決定処理部３５によるサービス決定後、サービスプロバイダ宛に必要な情報を送信するに先立ち、アドレス検索（要求／回答）送受信部３２により、該当サービスプロバイダのサーバアドレス（ドメイン名、ＦＱＤＮ、ＩＰアドレス等）の検索が行われる（Ｓ３７）。
【００２７】
そして、デパートであれば、フロア案内、特売バーゲン、レストラン情報、コンビニであれば、キャンペーン、チケット（コンサート、旅行、映画等）など検索に必要な情報を受信したサービスプロバイダは、利用者の携帯電話宛て配信サービスを提供することができる。
【００２８】
（図４：携帯電話に装備されたタグリーダ２を無線タグ１にかざす）
ここでは、携帯電話に装備されたタグリーダ２で読み取られたタグＩＤ、リーダＩＤは、ＩＰ網８経由で提供サービス決定装置３へ送信される（Ｓ４１）。以降の動作は、図３に示す例と同じであり、サービスプロバイダ選択後、掲示板に貼られたポスターの情報から、例えば温泉、旅行、コンサート、クーポン等に関して利用者の携帯電話宛配信サービスが可能になる。また、ナビゲーション、未知案内についても同様である。
なお、サービスは、メールによる情報配信のみならず、マンションの宅配用ロッカー、住宅の玄関鍵等に関するホームセキュリティ用途、無線タグを持たない人が校門を通過したときに警報を発し、あるいは無線タグを所持した生徒が校門を通過したときに確認のメールを親に送信する等、校門のセキュリティ用途にも応用が可能である。また、店舗では、来店回数を登録してポイント等特典に変換するといったサービスにも適用が可能である。
【００２９】
図５は、本発明における提供サービス決定装置の動作を説明するために引用したフローチャートであり、具体的には本発明のプログラムの処理手順を示す。
以下、図５に示すフローチャートを参照しながら図２に示す本発明実施形態の動作について説明する。
まず、利用者は、無線タグ１をタグリーダ２にかざす（近づける）。ここでは、携帯電話に付加（ストラップに埋め込まれている）された無線タグをコンビニやデパート等に設置されたタグリーダにかざす形態と、ポスター等に貼り付けられた無線タグ１を携帯電話に装備されたＩＤリーダが読み取る形態のニつが考えられる。ここで、読み込まれたタグＩＤとリーダＩＤは、ＩＰ網８経由で提供サービス決定装置３へ送信される（Ｓ５１Ｙｅｓ）。
提供サービス決定装置３のＩＤ取込み部３１ではこれらＩＤを取込み（Ｓ５２）、アドレス検索（要求／回答）送受信部３２によりアドレス検索サーバ６に対し、タグ情報を管理する利用者プロファイル管理サーバ４と、タグリーダ関連情報を管理するタグリーダ関連情報管理サーバ５のアドレス検索要求（ドメイン名、ＦＱＤＮ、ＩＰアドレス等の検索要求）を発行する（Ｓ５３）。そして、その回答を入手し、続いてプロファイル取込み部３３では、入手したそれぞれのアドレスに基づき、利用者プロファイル管理サーバ４、タグリーダ関連情報管理サーバ５をアクセスしてそれぞれのプロファイルインスタンスを取込む（Ｓ５４）。
【００３０】
サービス決定処理部３５は、プロファイルインスタンスＤＢ３４に保持されたプロファイルインスタンスのうち、契約しているサービスＩＤのリストと提供可能なＩＤのリストの論理積演算を行い、提供可能なサービス（サービスプロバイダ）を決定する（Ｓ５６）。そして、このサービス決定処理部３５によるサービス決定後、サービスプロバイダ宛に必要な情報を送信するに先立ち、アドレス検索（要求／回答）送受信部３２により、該当サービスプロバイダのサーバアドレス（ドメイン名、ＦＱＤＮ、ＩＰアドレス等）検索のための要求送信が行われる（Ｓ５８）。
サービスデータ選択部３６は、サービスプロバイダが必要としているデータの種類を検索し（Ｓ５７）、該当するデータをプロファイルインスタンスＤＢ３４に保持してあるタグ情報、タグリーダ情報の中から選択し、サービスデータ出力部３７を介して決定されたサービスプロバイダ宛送信する（Ｓ５９）。
以上により、サービスを決定し必要な情報をサービスプロバイダへ提供することができる。以降は、サービスプロバイダにより携帯電話等、移動体端末に向けてサービスプロバイダ独自のコンテンツサービスが開始される。
【００３１】
このことにより、無線タグとタグリーダとからサービスプロバイダを選択するための共通のプラットフォーム機能を提供でき、利用者は、１個の無線タグから様々なサービスが利用可能となり、また、サービスプロバイダは、１台のタグリーダを用いて様々なサービスの提供が可能となる。更に、ユーザ専用のポータルサイトを介して任意のＷｅｂサイトへ誘導することができ、使い勝手の向上がはかれる。
なお、上記した共通のプラットフォームは、例えば、デパートの販促メール、電子チケット、電子エントリ、ポイントサービス、電子ポスター等、無線タグを使ったあらゆるサービスへの利用が考えられる。
【００３２】
また、図２に示すＩＤ取込み部３１と、アドレス検索（要求／回答）送受信部３２と、プロファイル取込み部３３と、サービス決定処理部３５と、サービスデータ選択部３６と、サービスデータ出力部３７のそれぞれで実行される手順をコンピュータ読み取り可能な記録媒体に記録し、この記録媒体に記録されたプログラムをコンピュータシステムに読み込ませ、実行することによっても本発明の提供サービス決定装置ならびにシステムを実現することができる。ここでいうコンピュータシステムとは、ＯＳや周辺機器等のハードウェアを含む。
【００３３】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３４】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３５】
【図１】本発明システムの接続構成の一例を示す図である。
【図２】本発明装置の内部構成を機能展開して示したブロック図である。
【図３】本発明システムの動作シーケンス図である。
【図４】本発明システムの動作シーケンス図である。
【図５】本発明装置の動作フローチャートである。
【符号の説明】
【００３６】
１…無線タグ、２…タグリーダ、３…提供サービス決定装置、４…利用者プロファイル管理サーバ（ＵＰＳ）、５…タグリーダ関連情報管理サーバ（ＲＰＳ）、６…アドレス検索サーバ（ＤＮＳ）、７…サービス提供サーバ（ＳＰＳ）、８…ＩＰ網、１０…移動体端末、３１…ＩＤ取込み部、３２…アドレス検索（要求／回答）送受信部、３３…プロファイル取込み部、３４…リーダＩＤ認識部、３５…サービス決定処理部、３６…サービスデータ選択部、３７…サービスデータ出力部
【図１】
2005092785.tif 000003
【図２】
2005092785.tif 000004
【図３】
2005092785.tif 000005
【図４】
2005092785.tif 000006
【図５】
2005092785.tif 000007